(57)【要約】【課題】  筐体１の内部にブラウン管３とスピーカ２を配備してなる音声・映像出力装置において、従来装置よりも筐体１の剛性を高めると共に、スピーカ２の低音の出力特性を向上させる。【解決手段】  本発明に係る音声・映像出力装置において、筐体１の内部には、筐体１の内面とブラウン管３の背面31とによって挟まれた空間に仕切板４が配置されて、該仕切板４の両側に、筐体１の背面部13側からスピーカ２の背面まで伸びる第１音響空間16と、スピーカ２の背面から筐体１の背面部13に向かって伸びる第２音響空間17とが形成され、筐体１の背面部13には複数の放音口11が開設されている。【選択図】      図２
2005277826.tif 000002
【特許請求の範囲】
【請求項１】
筐体(１)の内部にブラウン管(３)とスピーカ(２)が収容され、ブラウン管(３)の画面が筐体(１)の前面に露出すると共に、該ブラウン管(３)の画面の近傍位置に、スピーカ(２)が放音口を筐体(１)の外側へ向けて設置されている音声・映像出力装置において、筐体(１)の内部には、筐体(１)の内面とブラウン管(３)の背面(31)とによって挟まれた空間に仕切板(４)が配置されて、該仕切板(４)の両側に、筐体(１)の背面側の端部を閉止端としてスピーカ(２)の背面まで伸びる第１音響空間(16)と、スピーカ(２)の背面から筐体(１)の背面まで伸びる第２音響空間(17)とが形成され、該筐体(１)の背面には、１或いは複数の放音口(11)が開設されていることを特徴とする音声・映像出力装置。
【請求項２】
前記第１音響空間(16)は、筐体(１)の背面側の端部からスピーカ(２)の背面に向かって断面積が拡大し、前記第２音響空間(17)は、スピーカ(２)の背面側の端部から筐体(１)の背面に向かって更に断面積が拡大している請求項１に記載の音声・映像出力装置。
【請求項３】
筐体(１)の内部にブラウン管(３)とスピーカ(２)が収容され、ブラウン管(３)の画面が筐体(１)の前面に露出すると共に、該ブラウン管(３)の画面の近傍位置に、スピーカ(２)が放音口を筐体(１)の外側へ向けて設置され、筐体(１)は、ブラウン管(３)の画面が露出するフロントキャビネット(15)と、ブラウン管(３)を包囲するリアキャビネット(14)とから構成されている音声・映像出力装置において、筐体(１)のリアキャビネット(14)の内部には、基端(41)がリアキャビネット(14)の後部内面に連結される一方、先端(42)が前記スピーカ(２)の近傍位置まで伸びる仕切板(４)が配備され、該仕切板(４)によって、リアキャビネット(14)の内面とブラウン管(３)の背面(31)とによって挟まれた空間が仕切られ、リアキャビネット(14)の内面と仕切板(４)との間に、仕切板(４)の基端(41)側から先端(42)側に向かって断面積が拡大する第１音響空間(16)が形成されると共に、仕切板(４)とブラウン管(３)の背面(31)との間に、仕切板(４)の先端(42)側から基端(41)側に向かって更に断面積が拡大する第２音響空間(17)が形成され、リアキャビネット(14)の背面には、１或いは複数の放音口(11)が開設されていることを特徴とする音声・映像出力装置。
【請求項４】
筐体(１)の内部にブラウン管(３)とスピーカ(２)が収容され、ブラウン管(３)の画面が筐体(１)の前面に露出すると共に、該ブラウン管(３)の画面の両側部に、左右一対のスピーカ(２)(２)がそれぞれ放音口を筐体(１)の外側へ向けて設置され、筐体(１)は、ブラウン管(３)の画面が露出するフロントキャビネット(15)と、ブラウン管(３)を包囲するリアキャビネット(14)とから構成されている音声・映像出力装置において、筐体(１)のリアキャビネット(14)の内部には、ブラウン管(３)の両側にそれぞれ、基端(41)がリアキャビネット(14)の後部内面に連結される一方、先端(42)が前記スピーカ(２)の近傍位置まで伸びる仕切板(４)が配備され、該仕切板(４)によって、リアキャビネット(14)の内面とブラウン管(３)の背面(31)によって挟まれた空間が仕切られ、ブラウン管(３)の両側にはそれぞれ、リアキャビネット(14)の内面と仕切板(４)により挟まれて、仕切板(４)の基端(41)側から先端(42)側に向かって断面積が拡大する第１音響空間(16)と、仕切板(４)とブラウン管(３)の背面(31)により挟まれて、仕切板(４)の先端(42)側から基端(41)側に向かって更に断面積が拡大する第２音響空間(17)とが形成され、リアキャビネット(14)の背面には、１或いは複数の放音口(11)が開設されていることを特徴とする音声・映像出力装置。
【請求項５】
仕切板(４)は、筐体(１)のリアキャビネット(14)と一体に成型されている請求項３又は請求項４に記載の音声・映像出力装置。
【発明の詳細な説明】
【技術分野】
【０００１】
本発明は、テレビジョン受像機の如く、筐体の内部にブラウン管とスピーカを配備してなる音声・映像出力装置に関するものである。
【背景技術】
【０００２】
従来、テレビジョン受像機においては、図７〜図９に示す如く、フロントキャビネット(62)及びリアキャビネット(63)からなる筐体(６)の内部にブラウン管(３)が配備されると共に、該ブラウン管(３)の左右両側には、一対のスピーカ(７)(７)が配備され、両スピーカ(７)(７)はそれぞれスピーカボックス(71)に収容されている。
又、筐体(６)のリアキャビネット(63)には、複数の放熱スリット(61)が開設されて、ブラウン管(３)から発生する熱を放散させる様にしている。
【０００３】
しかしながら、図７〜図９に示す従来のテレビジョン受像機においては、スピーカ(７)を収容するスピーカボックス(71)の横幅に制限があるため、スピーカボックス(71)の容積が小さくなって、低音の出力特性が悪い問題があった。又、筐体(６)に多数の放熱スリット(61)が開設されているために、筐体(６)の構造強度(剛性)が低くなって、スピーカ(７)の鳴動に伴って筐体(６)から箱鳴りが発生して、低音が明瞭度の低い音質となる問題があった。
【０００４】
そこで、筐体の一部と筐体内に設けた仕切板とによってスピーカボックスを構成したテレビジョン受像機が提案されている(特許文献１)。
該テレビジョン受像機によれば、筐体とスピーカボックスの一部共用化により部品を省略したことによって、スピーカボックスの容積の拡大が可能となり、然も、スピーカボックスに仕切壁を設けたことによってスピーカボックスの剛性が高くなるために、箱鳴りの発生が抑制される。
【特許文献１】特開平７−６７０６０号公報
【発明の開示】
【発明が解決しようとする課題】
【０００５】
しかしながら、上述の如く筐体とスピーカボックスの一部共用化を図ったテレビジョン受像機においても、筐体の大きさに制限があることから、スピーカボックスの容積の拡大にも限界があるため、低音の出力特性が依然として不十分である問題があった。
そこで本発明の目的は、筐体の内部にブラウン管とスピーカを配備してなる音声・映像出力装置において、従来装置よりも筐体の剛性を高めると共に、スピーカの低音出力特性を向上させることである。
【課題を解決するための手段】
【０００６】
本発明に係る音声・映像出力装置において、筐体(１)の内部には、ブラウン管(３)とスピーカ(２)が収容され、ブラウン管(３)の画面が筐体(１)の前面に露出すると共に、該ブラウン管(３)の画面の近傍位置に、スピーカ(２)が放音口を筐体(１)の外側へ向けて設置されている。
筐体(１)の内部には、筐体(１)の内面とブラウン管(３)の背面(31)とによって挟まれた空間に仕切板(４)が配置されて、該仕切板(４)の両側に、筐体(１)の背面側の端部を閉止端としてスピーカ(２)の背面まで伸びる第１音響空間(16)と、スピーカ(２)の背面から筐体(１)の背面まで伸びる第２音響空間(17)とが形成されている。又、該筐体(１)の背面には、１或いは複数の放音口(11)が開設されている。
【０００７】
上記本発明の音声・映像出力装置においては、筐体(１)に仕切板(４)が設置されているので、筐体(１)は高い剛性を発揮する。又、筐体(１)の内部には、スピーカ(２)からの音響を共鳴させるべき第１音響空間(16)と第２音響空間(17)が仕切板(４)の両側に形成されて、両音響空間(16)(17)が繋がることで筐体(１)の奥行きよりも長い音響路を有しているので、筐体(１)の奥行きが音響路の最大長となっていた従来装置よりも、スピーカ(２)の低音出力特性が向上する。
【０００８】
具体的構成において、前記第１音響空間(16)は、筐体(１)の背面側の端部からスピーカ(２)の背面に向かって断面積が拡大し、前記第２音響空間(17)は、スピーカ(２)の背面側の端部から筐体(１)の背面に向かって更に断面積が拡大している。
該具体的構成によれば、第１音響空間(16)と第２音響空間(17)によって、テーパ付１／４波長管(ＴＱＷＴ：Tapered Quarter Wave Tube)と同等の音響空間が形成されることとなり、より低音出力特性が向上する。
【０００９】
又、本発明に係る音響・映像出力装置においては、筐体(１)の内部にブラウン管(３)とスピーカ(２)が収容され、ブラウン管(３)の画面が筐体(１)の前面に露出すると共に、該ブラウン管(３)の画面の近傍位置に、スピーカ(２)が放音口を筐体(１)の外側へ向けて設置されている。筐体(１)は、ブラウン管(３)の画面が露出するフロントキャビネット(15)と、ブラウン管(３)を包囲するリアキャビネット(14)とから構成されている。
筐体(１)のリアキャビネット(14)の内部には、基端(41)がリアキャビネット(14)の内面に連結される一方、先端(42)が前記スピーカ(２)の近傍位置まで伸びる仕切板(４)が配備され、該仕切板(４)によって、リアキャビネット(14)の内面とブラウン管(３)の背面(31)とによって挟まれた空間が仕切られ、リアキャビネット(14)の内面と仕切板(４)との間に、仕切板(４)の基端(41)側から先端(42)側に向かって断面積が拡大する第１音響空間(16)が形成されると共に、仕切板(４)とブラウン管(３)の背面(31)との間に、仕切板(４)の先端(42)側から基端(41)側に向かって更に断面積が拡大する第２音響空間(17)が形成されている。又、リアキャビネット(14)の背面には、１或いは複数の放音口(11)が開設されている。
【００１０】
上記本発明の音響・映像出力装置によれば、仕切板(４)の設置によって筐体(１)の剛性が高まると共に、リアキャビネット(14)の内面、仕切板(４)、並びにブラウン管(３)の背面(31)によって、第１音響空間(16)と第２音響空間(17)が形成され、両音響空間(16)によってＴＱＷＴと同等のテーパ状音響空間が形成されて、優れた低音出力特性が得られる。
【発明の効果】
【００１１】
本発明に係る音響・映像出力装置によれば、従来装置よりも筐体の剛性を高めると共に、スピーカの低音出力特性を向上させることが出来る。
【発明を実施するための最良の形態】
【００１２】
以下、本発明をテレビジョン受像機に実施した形態につき、図面に沿って具体的に説明する。
本発明に係るテレビジョン受像機は、図１〜図３に示す如く、筐体(１)の内部にブラウン管(３)を配備すると共に、該ブラウン管(３)の両側に左右一対のスピーカ(２)(２)を配備して構成されている。
【００１３】
筐体(１)は、ブラウン管(３)の画面を露出させる枠体状のフロントキャビネット(15)と、ブラウン管(３)の形状に沿って後方へ縮小する角錐台状のリアキャビネット(14)とからなり、フロントキャビネット(15)の左右両端部に、前記一対のスピーカ(２)(２)がそれぞれ放音口を前方へ向けて取り付けられている。又、リアキャビネット(14)は、後方に向かって円弧面状に湾曲する左右の側面部(12)(12)と、後方へ向かって水平に伸びた後に僅かに湾曲する上面部(18)と、後方へ向かって水平に伸びた後に僅かに傾斜する底面部(19)と、垂直に伸びる平板状の背面部(13)とから構成され、背面部(13)には複数の放音口(11)が開設されている。
【００１４】
筐体(１)のリアキャビネット(14)の内部には、ブラウン管(３)の両側にそれぞれ、基端(41)がリアキャビネット(14)の内面に連結される一方、先端(42)がスピーカ(２)の背面近傍位置まで円弧面状に伸びる仕切板(４)が配備されている。該仕切板(４)は、リアキャビネット(14)の底面部(19)と上面部(18)とを互いに連結しており、各仕切板(４)によって、リアキャビネット(14)の一方の側面部(12)の内面とブラウン管(３)の背面(31)とによって挟まれた空間が仕切られている。
【００１５】
この結果、図２の如く、ブラウン管(３)の両側にはそれぞれ、リアキャビネット(14)の一方の側面部(12)の内面と仕切板(４)との間に、仕切板(４)の基端(41)側から先端(42)側に向かって断面積が拡大する第１音響空間(16)が形成されると共に、仕切板(４)とブラウン管(３)の背面(31)との間に、仕切板(４)の先端(42)側からリアキャビネット(14)の背面部(13)に向かって更に断面積が拡大する第２音響空間(17)が形成されることとなり、両音響空間(16)(17)が互いに繋がっている仕切板(４)の先端(42)付近の空間に、スピーカ(２)の背面が突出している。
ここで、第１音響空間(16)のスピーカ(２)側の端部における断面積と第２音響空間(17)のスピーカ(２)側の端部における断面積とは略同一に形成されている。
【００１６】
尚、リアキャビネット(14)の側面部(12)、底面部(19)及び背面部(13)には、第１音響空間(16)及び第２音響空間(17)を外部に開放することとなる放熱口は開設されていないが、ブラウン管(３)から発生する熱は、筐体(１)の背面部(13)に開設されている複数の放音口(11)から放出される。
【００１７】
上記テレビジョン受像機においては、筐体(１)を構成するリアキャビネット(14)の上面部(18)と底面部(19)とが２枚の仕切板(４)(４)によって互いに連結されて、筐体(１)の剛性が充分に高くなっているので、スピーカ(２)の鳴動に伴って筐体(１)が箱鳴りを発生する虞はない。
【００１８】
又、筐体(１)の内部においては、リアキャビネット(14)の背面部(13)側からスピーカ(２)側へ向かって断面積が拡大する第１音響空間(16)と、スピーカ(２)側からリアキャビネット(14)の背面部(13)側へ向かって断面積が拡大する第２音響空間(17)とが連通して、両音響空間(16)(17)によって、一端閉止、他端開放のテーパ付１／４波長管(ＴＱＷＴ：Tapered  Quarter  Wave  Tube)と同等の音響空間が形成されている。
【００１９】
ＴＱＷＴは、図４に示す如く、一端(81)が閉止、他端(82)が開放のテーパ状のダクト(８)により形成されて、ダクト(８)の長さ方向の中央位置にスピーカ(２)が取り付けられているものであり、ダクト(８)内の音響空間にて、スピーカ(２)の背面から発せられる音響が共鳴して、優れた低音出力特性が得られる。
【００２０】
本発明に係るテレビジョン受像機においては、仕切板(４)の両側に、筐体(１)の奥行き方向に沿って第１音響空間(16)と第２音響空間(17)が形成されているので、両音響空間(16)(17)は、仕切板(４)の基端(41)が閉止端、筐体(１)の背面部(13)の放音口(11)が開放端となって、筐体(１)の奥行き寸法の約２倍の音響路を有するＴＱＷＴと同様の音響効果を発揮する。
この結果、本発明に係るテレビジョン受像機によれば、両スピーカ(２)(２)に優れた低音出力特性が得られる。
【００２１】
又、仕切板(４)はリアキャビネット(14)と一体に成型することが出来るので、部品点数が少なく、組立も容易となり、コストダウンを図ることが可能となる。
【００２２】
尚、本発明の各部構成は上記実施の形態に限らず、特許請求の範囲に記載の技術的範囲内で種々の変形が可能である。例えば、仕切板(４)は、リアキャビネット(14)の底面部(19)と上面部(18)とを互いに連結するものに限らず、図５及び図６に示す如く、筐体(１)の内部が水平の壁(５)によって上下に仕切られている場合は、スピーカ(２)(２)を例えば下方の空間に配備し、仕切板(４)(４)が水平の壁(５)とリアキャビネット(14)の底面部(19)とを互いに連結している構成を採用することも可能である。
【図面の簡単な説明】
【００２３】
【図１】本発明に係るテレビジョン受像機の正面図である。
【図２】該テレビジョン受像機の水平断面図である。
【図３】該テレビジョン受像機の垂直断面図である。
【図４】ＴＱＷＴの断面図である。
【図５】本発明に係る他のテレビジョン受像機の正面図である。
【図６】該テレビジョン受像機の垂直断面図である。
【図７】従来のテレビジョン受像機の正面図である。
【図８】該テレビジョン受像機の水平断面図である。
【図９】該テレビジョン受像機の垂直断面図である。
【符号の説明】
【００２４】
(１)  筐体
(14)  リアキャビネット
(11)  放音口
(12)  側面部
(13)  背面部
(15)  フロントキャビネット
(16)  第１音響空間
(17)  第２音響空間
(２)  スピーカ
(３)  ブラウン管
(31)  背面
(４)  仕切板
(41)  基端
(42)  先端
【図１】
2005277826.tif 000003
【図２】
2005277826.tif 000004
【図３】
2005277826.tif 000005
【図４】
2005277826.tif 000006
【図５】
2005277826.tif 000007
【図６】
2005277826.tif 000008
【図７】
2005277826.tif 000009
【図８】
2005277826.tif 000010
【図９】
2005277826.tif 000011